(57)【要約】      （修正有）【課題】取り外し可能タイプの電池モジュールを具えたブルートゥース通信イヤフォンを提供する。【解決手段】取り外し可能タイプの電池モジュールを具えたブルートゥース通信イヤフォンは、ブルートゥース（Ｂｌｕｅｔｏｏｔｈ）通信モジュールの無線イヤフォンと電池モジュールを具えて組成する。該無線イヤフォンはハウジングとブルートゥース通信モジュールに必要な電子デバイスを具え、ハウジングの選定箇所に電池パック装着部を設け、電池パック装着部中に電源接点を設け、またハウジングの選定箇所に外部接続電源ソケットを設ける。該電池モジュールは、電池パック装着部と相対応した電池ケースを具え、その内部にリチウム電池を設け、選定箇所に外部と導電する電源接点を設け、これにより該電池モジュールを組成して、任意に電池パック装着部に嵌合設置できる。【選択図】図２
0003112606.tif 000002
【実用新案登録請求の範囲】
【請求項１】
取り外し可能タイプの電池モジュールを具えたブルートゥース通信イヤフォンにおいて、
無線イヤフォンは、ハウジングを具えて、該ハウジング内にブルートゥース（Ｂｌｕｅｔｏｏｔｈ）通信モジュールに必要な電子デバイスを設け、ハウジングの外の所定の箇所に電池パック装着部を設け、及びブルートゥース通信モジュールと接続するスピーカを具え、
電池モジュールは、電池パック装着部に相対応する絶縁性の電池ケースを具え、該電池ケース内部に充電式電池を設け、
以上から、該電池モジュールを組成して電池ケースによって任意に無線イヤフォンハウジングの電池パック装着部に嵌合して装着することができ、且つ電池ケースと該ハウジングが一つの造形体であるブルートゥース通信イヤフォンを構成するようにして成ることを特徴とする取り外し可能タイプの電池モジュールを具えたブルートゥース通信イヤフォン。
【請求項２】
該電池パック装着部中に露出して電源接点を設け、電池モジュールの電池ケースと電気的に接触することができるようにして成ることを特徴とする請求項１記載の取り外し可能タイプの電池モジュールを具えたブルートゥース通信イヤフォン。
【請求項３】
該電池ケースは底面の選定した箇所に露出して外部に導電できる電源接点を設けて、電源接点が充電式電池と電気的接続を構成することができるようにして成ることを特徴とする請求項２記載の取り外し可能タイプの電池モジュールを具えたブルートゥース通信イヤフォン。
【請求項４】
該充電式電池はリチウム電池とすることができるようにして成ることを特徴とする請求項１記載の取り外し可能タイプの電池モジュールを具えたブルートゥース通信イヤフォン。
【請求項５】
該無線イヤフォンのハウジングの選定箇所へ外部接続電源ソケットを設け、且つ該電池モジュールの電池ケースの選定箇所へ外部接続電源ソケットを設けることを特徴とする請求項１記載の取り外し可能タイプの電池モジュールを具えたブルートゥース通信イヤフォン。
【考案の詳細な説明】
【技術分野】
【０００１】
本考案は取り外し可能タイプの電池モジュールを具えたブルートゥース通信イヤフォンに関し、特に電池モジュールを取り外して単独で充電、或いは無線イヤフォンに装着して直接充電することができるブルートゥース通信イヤフォンの構造改良に関する。
【背景技術】
【０００２】
公知のブルートゥース通信イヤフォンは、ブルートゥース（Ｂｌｕｅｔｏｏｔｈ）通信技術を運用して構成した無線イヤフォンであり、通常は無線イヤフォン本体を具え、その内部にブルートゥース通信モジュールに必要な電子デバイス、及び電池モジュールを具え、更にイヤフォン本体外に小型スピーカを設け、これにより該小型スピーカを耳の中に差し込むことができ、ブルートゥース通信モジュールで信号を受信できるようにする。しかし公知のブルートゥース通信イヤフォンの電池モジュールは、通常上述のイヤフォン本体内部に実装した充電式電池（リチウム電池或いはニッケル水素電池など）を使用しており、エネルギーを使い終わるとイヤフォン本体をパワーアダプタに接続して、充電して再使用できるようにする。このようなイヤフォン本体内部に固設した充電式電池は、使用者が任意に取り外すことができないため、充電を待つ段階では該ブルートゥース通信イヤフォンを使用することができず、使用者にとって不便である。その後改良されたブルートゥース通信イヤフォンは、充電式電池を普通電池（亜鉛炭素電池やアルカリ電池など）に変更し、イヤフォン本体中に該普通電池を収容する空間を設けて、使用者がいつでも新たな普通電池に交換できるようにして、充電を待つ不便を改善したが、この種の普通電池を使用した形態の設計では、当然充電して再使用する機能は無く、使用上の経済コストが増加してしまう。
以上のような公知ブルートゥース通信イヤフォンの継続した電力供給の問題と不足を改善する必要がある。
【特許文献１】特公２００４−３４３６７５号公報
【考案の開示】
【考案が解決しようとする課題】
【０００３】
本考案は、取り外し可能タイプの電池モジュールを具えたブルートゥース通信イヤフォンを提供し、任意にブルートゥース通信イヤフォン本体に装着して一フォルムを構成することができる取り外し可能タイプの電池モジュールとその実装構造設計により、電池モジュールを簡便に取り外して単独で充電或いは無線イヤフォンに装着したまま充電できるようにし、また該電池モジュールでブルートゥース通信イヤフォン本体の外観造形をより精巧・スタイリッシュにすることを主要目的とする。
【課題を解決するための手段】
【０００４】
本考案はブルートゥース（Ｂｌｕｅｔｏｏｔｈ）通信モジュールの無線イヤフォンと電池モジュールを具えて組成する。該無線イヤフォンは、ハウジングとブルートゥース通信モジュールに必要な電子デバイスを具え、ハウジングの所定箇所に電池パック装着部を設け、電池パック装着部中に電源接点を設け、ハウジング或いは電池モジュールの所定箇所に外部接続電源ソケットを設ける。該電池モジュールは、電池パック装着部と相対応した電池ケースを具え、内部に充電できるリチウム電池を設け、所定箇所に外部と導通する電源接点を設ける。該電池モジュールを組成する電池ケースは任意に上述の電池パック装着部に嵌合設置でき、ハウジングと一体化して一つの造形をもつブルートゥース通信イヤフォンを構成して、電池モジュールが、簡易に取り外して単独で充電、或いは外部接続電源ソケットで充電できるようにすると共に、無線イヤフォンの外観がより優美にする。
【考案の効果】
【０００５】
電池モジュールを簡易に取り外して単独で充電、或いは外部接続電源ソケットで充電できるようになると共に、無線イヤフォンの外観がより優美になる。
【考案を実施するための最良の形態】
【０００６】
図に示すように、本考案の取り外し可能タイプ電池モジュールを具えたブルートゥース通信イヤフォンは、ブルートゥース通信モジュールの無線イヤフォン１と電池モジュール２を具えて組成し、使用者が耳に装着できるようにし、ブルートゥース通信モジュールで情報を受信する。
【０００７】
無線イヤフォン１は、図２から図４に示すように、ハウジング１１を具え、該ハウジング１１内にブルートゥース（Ｂｌｕｅｔｏｏｔｈ）通信モジュールに必要な電子デバイスを具え（無線ブルートゥース通信技術は公知技術であるため、ここでは説明しない）、ハウジング１１外部の選定箇所に電池パック装着部１２を設け、該電池パック装着部１２中に露出した電源接点１３を設け、また該ハウジング１１の選定箇所に外部接続電源ソケット１４を設け、及びブルートゥース通信モジュールと接続するスピーカ１５を設け、該電池パック装着部１２は図２に示すように一種オープンタイプの電池パック装着部１２とし、またその他のタイプの電池パック装着部とすることも可能である。
【０００８】
電池モジュール２は、図２から図４に示すように、電池パック装着部１２と相対応する絶縁電池ケース２１を具え、該電池ケース２１内部に充電式電池２２（リチウム電池など）を設け、該電池ケース２１の底面の選定箇所に露出して外部と導通する電源接点２３を設けて、電源接点２３と充電式電池２２が電気的接続を構成するようにし、且つ電池ケース２１の適正な箇所へ別の外部接続電源ソケット２４を設け、電源アダプタを接続して充電する。
【０００９】
以上によって、電池モジュール２を電池ケース２１で任意に無線イヤフォン１の電池パック装着部１２に嵌合装着したり取り外して交換したりできるブルートゥース通信イヤフォンを組成し、装着時には電池モジュール２の電源接点２３と電池パック装着部１２の電源接点１３が接触導通を構成するようにし、他の電子製品（例えば携帯電話、パソコン、ＰＤＡなど）と合わせて使用でき、ブルートゥース通信モジュールでその他電子製品が発信する信号を受信して、信号をスピーカ１５で音声に転換して、使用者が無線状態で聞くことができるようにする。
【００１０】
本考案の取り外し可能タイプ電池モジュールのブルートゥース通信イヤフォンの構造改良を利用すると、該電池モジュール２は無線イヤフォン１の電池パック装着部１２とあい対応する電池ケース２１構造を具えるため、電池モジュール２を装着した状態では、電池ケース２１と無線イヤフォン１のハウジング１１は一つの造形構造に融合し、ブルートゥース通信イヤフォンの外観をスタイリッシュにする効果が得られる。
特に本考案は電池モジュール２の電池ケース２１の構造設計によって、エネルギーを使い終わったときには迅速に該電池モジュール２を取り外すことができ、エネルギーが充足したもう一つの同様な電池モジュールに交換し、取り外した該電池モジュール２は別に単独で充電できるため、ブルートゥース通信イヤフォンは間断なく継続して使用できるようになり、公知ブルートゥース通信イヤフォンの充電待ちの欠点と、普通電池使用の充電不可能というコスト問題が改善される。更に本考案の無線イヤフォンハウジング１１に設けた電源ソケット１４、或いは電池モジュール２に設ける電源ソケット２４により、該電池モジュール２を無線イヤフォン１に装着した状態のままでの充電（電源アダプタを接続）も選択できるようになり、使用者が任意で選択できる実用効果が得られる。
【図面の簡単な説明】
【００１１】
【図１】本考案のブルートゥース通信イヤフォンの組成状態の立体図である。
【図２】本考案のブルートゥース通信イヤフォンの分解状態の立体図である。
【図３】本考案のブルートゥース通信イヤフォンの組成状態のもう一つの外観立体図である。
【図４】本考案のブルートゥース通信イヤフォンの組成状態の側面図である。
【符号の説明】
【００１２】
１        無線イヤフォン
１１      ハウジング
１２      電池パック装着部
１３      電源接点
１４      電源ソケット
１５      スピーカ
２        電池モジュール
２１      電池ケース
２２      充電式電池
２３      電源接点
２４      電源ソケット
【図１】
0003112606.tif 000003
【図２】
0003112606.tif 000004
【図３】
0003112606.tif 000005
【図４】
0003112606.tif 000006
【手続補正書】
【提出日】平成17年2月22日(2005.2.22)
【手続補正１】
【補正対象書類名】実用新案登録請求の範囲
【補正対象項目名】全文
【補正方法】変更
【補正の内容】
【実用新案登録請求の範囲】
【請求項１】
取り外し可能タイプの電池モジュールを具えたブルートゥース（登録商標）通信イヤフォンにおいて、
無線イヤフォンは、ハウジングを具えて、該ハウジング内にブルートゥース（登録商標）通信モジュールに必要な電子デバイスを設け、ハウジングの外の所定の箇所に電池パック装着部を設け、及びブルートゥース（登録商標）通信モジュールと接続するスピーカを具え、
電池モジュールは、電池パック装着部に相対応する絶縁性の電池ケースを具え、該電池ケース内部に充電式電池を設け、
以上から、該電池モジュールを組成して電池ケースによって任意に無線イヤフォンハウジングの電池パック装着部に嵌合して装着することができ、且つ電池ケースと該ハウジングが一つの造形体であるブルートゥース（登録商標）通信イヤフォンを構成するようにして成ることを特徴とする取り外し可能タイプの電池モジュールを具えたブルートゥース（登録商標）通信イヤフォン。
【請求項２】
該電池パック装着部中に露出して電源接点を設け、電池モジュールの電池ケースと電気的に接触することができるようにして成ることを特徴とする請求項１記載の取り外し可能タイプの電池モジュールを具えたブルートゥース（登録商標）通信イヤフォン。
【請求項３】
該電池ケースは底面の選定した箇所に露出して外部に導電できる電源接点を設けて、電源接点が充電式電池と電気的接続を構成することができるようにして成ることを特徴とする請求項２記載の取り外し可能タイプの電池モジュールを具えたブルートゥース（登録商標）通信イヤフォン。
【請求項４】
該充電式電池はリチウム電池とすることができるようにして成ることを特徴とする請求項１記載の取り外し可能タイプの電池モジュールを具えたブルートゥース（登録商標）通信イヤフォン。
【請求項５】
該無線イヤフォンのハウジングの選定箇所へ外部接続電源ソケットを設け、且つ該電池モジュールの電池ケースの選定箇所へ外部接続電源ソケットを設けることを特徴とする請求項１記載の取り外し可能タイプの電池モジュールを具えたブルートゥース（登録商標）通信イヤフォン。
【手続補正２】
【補正対象書類名】明細書
【補正対象項目名】全文
【補正方法】変更
【補正の内容】
【考案の詳細な説明】
【技術分野】
【０００１】
本考案は取り外し可能タイプの電池モジュールを具えたブルートゥース（登録商標）通信イヤフォンに関し、特に電池モジュールを取り外して単独で充電、或いは無線イヤフォンに装着して直接充電することができるブルートゥース（登録商標）通信イヤフォンの構造改良に関する。
【背景技術】
【０００２】
公知のブルートゥース（登録商標）通信イヤフォンは、ブルートゥース（Ｂｌｕｅｔｏｏｔｈ）（登録商標）通信技術を運用して構成した無線イヤフォンであり、通常は無線イヤフォン本体を具え、その内部にブルートゥース（登録商標）通信モジュールに必要な電子デバイス、及び電池モジュールを具え、更にイヤフォン本体外に小型スピーカを設け、これにより該小型スピーカを耳の中に差し込むことができ、ブルートゥース（登録商標）通信モジュールで信号を受信できるようにする。しかし公知のブルートゥース（登録商標）通信イヤフォンの電池モジュールは、通常上述のイヤフォン本体内部に実装した充電式電池（リチウム電池或いはニッケル水素電池など）を使用しており、エネルギーを使い終わるとイヤフォン本体をパワーアダプタに接続して、充電して再使用できるようにする。このようなイヤフォン本体内部に固設した充電式電池は、使用者が任意に取り外すことができないため、充電を待つ段階では該ブルートゥース（登録商標）通信イヤフォンを使用することができず、使用者にとって不便である。その後改良されたブルートゥース（登録商標）通信イヤフォンは、充電式電池を普通電池（亜鉛炭素電池やアルカリ電池など）に変更し、イヤフォン本体中に該普通電池を収容する空間を設けて、使用者がいつでも新たな普通電池に交換できるようにして、充電を待つ不便を改善したが、この種の普通電池を使用した形態の設計では、当然充電して再使用する機能は無く、使用上の経済コストが増加してしまう。
以上のような公知ブルートゥース（登録商標）通信イヤフォンの継続した電力供給の問題と不足を改善する必要がある。
【特許文献１】特開２００４−３４３６７５号公報
【考案の開示】
【考案が解決しようとする課題】
【０００３】
本考案は、取り外し可能タイプの電池モジュールを具えたブルートゥース（登録商標）通信イヤフォンを提供し、任意にブルートゥース（登録商標）通信イヤフォン本体に装着して一フォルムを構成することができる取り外し可能タイプの電池モジュールとその実装構造設計により、電池モジュールを簡便に取り外して単独で充電或いは無線イヤフォンに装着したまま充電できるようにし、また該電池モジュールでブルートゥース（登録商標）通信イヤフォン本体の外観造形をより精巧・スタイリッシュにすることを主要目的とする。
【課題を解決するための手段】
【０００４】
本考案はブルートゥース（Ｂｌｕｅｔｏｏｔｈ）（登録商標）通信モジュールの無線イヤフォンと電池モジュールを具えて組成する。該無線イヤフォンは、ハウジングとブルートゥース（登録商標）通信モジュールに必要な電子デバイスを具え、ハウジングの所定箇所に電池パック装着部を設け、電池パック装着部中に電源接点を設け、ハウジング或いは電池モジュールの所定箇所に外部接続電源ソケットを設ける。該電池モジュールは、電池パック装着部と相対応した電池ケースを具え、内部に充電できるリチウム電池を設け、所定箇所に外部と導通する電源接点を設ける。該電池モジュールを組成する電池ケースは任意に上述の電池パック装着部に嵌合設置でき、ハウジングと一体化して一つの造形をもつブルートゥース（登録商標）通信イヤフォンを構成して、電池モジュールが、簡易に取り外して単独で充電、或いは外部接続電源ソケットで充電できるようにすると共に、無線イヤフォンの外観がより優美にする。
【考案の効果】
【０００５】
電池モジュールを簡易に取り外して単独で充電、或いは外部接続電源ソケットで充電できるようになると共に、無線イヤフォンの外観がより優美になる。
【考案を実施するための最良の形態】
【０００６】
図に示すように、本考案の取り外し可能タイプ電池モジュールを具えたブルートゥース（登録商標）通信イヤフォンは、ブルートゥース（登録商標）通信モジュールの無線イヤフォン１と電池モジュール２を具えて組成し、使用者が耳に装着できるようにし、ブルートゥース（登録商標）通信モジュールで情報を受信する。
【０００７】
無線イヤフォン１は、図２から図４に示すように、ハウジング１１を具え、該ハウジング１１内にブルートゥース（Ｂｌｕｅｔｏｏｔｈ）（登録商標）通信モジュールに必要な電子デバイスを具え（無線ブルートゥース（登録商標）通信技術は公知技術であるため、ここでは説明しない）、ハウジング１１外部の選定箇所に電池パック装着部１２を設け、該電池パック装着部１２中に露出した電源接点１３を設け、また該ハウジング１１の選定箇所に外部接続電源ソケット１４を設け、及びブルートゥース（登録商標）通信モジュールと接続するスピーカ１５を設け、該電池パック装着部１２は図２に示すように一種オープンタイプの電池パック装着部１２とし、またその他のタイプの電池パック装着部とすることも可能である。
【０００８】
電池モジュール２は、図２から図４に示すように、電池パック装着部１２と相対応する絶縁電池ケース２１を具え、該電池ケース２１内部に充電式電池２２（リチウム電池など）を設け、該電池ケース２１の底面の選定箇所に露出して外部と導通する電源接点２３を設けて、電源接点２３と充電式電池２２が電気的接続を構成するようにし、且つ電池ケース２１の適正な箇所へ別の外部接続電源ソケット２４を設け、電源アダプタを接続して充電する。
【０００９】
以上によって、電池モジュール２を電池ケース２１で任意に無線イヤフォン１の電池パック装着部１２に嵌合装着したり取り外して交換したりできるブルートゥース（登録商標）通信イヤフォンを組成し、装着時には電池モジュール２の電源接点２３と電池パック装着部１２の電源接点１３が接触導通を構成するようにし、他の電子製品（例えば携帯電話、パソコン、ＰＤＡなど）と合わせて使用でき、ブルートゥース（登録商標）通信モジュールでその他電子製品が発信する信号を受信して、信号をスピーカ１５で音声に転換して、使用者が無線状態で聞くことができるようにする。
【００１０】
本考案の取り外し可能タイプ電池モジュールのブルートゥース（登録商標）通信イヤフォンの構造改良を利用すると、該電池モジュール２は無線イヤフォン１の電池パック装着部１２とあい対応する電池ケース２１構造を具えるため、電池モジュール２を装着した状態では、電池ケース２１と無線イヤフォン１のハウジング１１は一つの造形構造に融合し、ブルートゥース（登録商標）通信イヤフォンの外観をスタイリッシュにする効果が得られる。
特に本考案は電池モジュール２の電池ケース２１の構造設計によって、エネルギーを使い終わったときには迅速に該電池モジュール２を取り外すことができ、エネルギーが充足したもう一つの同様な電池モジュールに交換し、取り外した該電池モジュール２は別に単独で充電できるため、ブルートゥース（登録商標）通信イヤフォンは間断なく継続して使用できるようになり、公知ブルートゥース（登録商標）通信イヤフォンの充電待ちの欠点と、普通電池使用の充電不可能というコスト問題が改善される。更に本考案の無線イヤフォンハウジング１１に設けた電源ソケット１４、或いは電池モジュール２に設ける電源ソケット２４により、該電池モジュール２を無線イヤフォン１に装着した状態のままでの充電（電源アダプタを接続）も選択できるようになり、使用者が任意で選択できる実用効果が得られる。
【図面の簡単な説明】
【００１１】
【図１】本考案のブルートゥース（登録商標）通信イヤフォンの組成状態の立体図である。
【図２】本考案のブルートゥース（登録商標）通信イヤフォンの分解状態の立体図である。
【図３】本考案のブルートゥース（登録商標）通信イヤフォンの組成状態のもう一つの外観立体図である。
【図４】本考案のブルートゥース（登録商標）通信イヤフォンの組成状態の側面図である。
【符号の説明】
【００１２】
１        無線イヤフォン
１１      ハウジング
１２      電池パック装着部
１３      電源接点
１４      電源ソケット
１５      スピーカ
２        電池モジュール
２１      電池ケース
２２      充電式電池
２３      電源接点
２４      電源ソケット